(57)【特許請求の範囲】
【請求項１】
円筒状の竪樋をその外周面に沿って支持し、建物の壁面に固定するための脚部を一体に設けた円弧状の支持体と、この支持体の一端のヒンジ部で回転自在に連結され、前記支持体の他端の係止部で係脱自在であり、前記係止部で係止することによって前記竪樋をその外周面に沿って支持する可動腕とを備えた竪樋用控え具であって、
前記支持体の前記ヒンジ部および前記係止部は、前記竪樋を挿通支持している係止状態において前記竪樋の中心軸よりも前記支持体側にあり、
前記可動腕の前記係止部側の部分が、第一片部と第二片部とを有し、
前記竪樋を挿通支持している係止状態において、前記第一片部は、先端に行くほど前記竪樋から離れて直線状に延び、
前記第二片部は、前記第一片部から前記竪樋側に鈍角をなすように屈曲して直線状に延び、
前記第二片部の先端には、前記第二片部の屈曲とは反対側へ外方を向く係止爪を有し、
前記支持体の前記係止部には、前記可動腕の前記係止爪と係合する係止穴を有することを特徴とする竪樋用控え具。
【請求項２】
前記可動腕は、前記係止爪が、正面視で前記第一片部側の側端よりも内側に位置することを特徴とする請求項１に記載の竪樋用控え具。
【請求項３】
前記第一片部には、その内側面から内方に突出する弾片が形成されていることを特徴とする請求項１または２に記載の竪樋用控え具。
【発明の詳細な説明】
【技術分野】
【０００１】
本発明は、竪樋用控え具に関する。
【背景技術】
【０００２】
従来、円筒状の竪樋を建物に取付ける際には、円弧状に湾曲した一対の部材である支持体と可動腕とを、一方の対向端部をヒンジ部で回転自在に連結し、他方の対向端部を係脱自在とした控え具が使用されている（例えば、特許文献１を参照）。
【０００３】
取付けの際には、一体に設けた脚部によって建物の壁面に固定される支持体の円弧状支持面と、可動腕とで環状に取り囲み竪樋の外周面に圧接させ、支持体と可動腕とをヒンジ部とは反対側の対向端部で係止することによって竪樋を固定する。
【０００４】
しかしながら、従来の控え具では、支持体の一端にあるヒンジ部と、他端にある係止部に係止された可動腕の係止手段とが、正面視では両側端に位置している。そのため、前方から見た場合、これらは側方に突出して視認されることから、取付け状態での外観がすっきりとしないという問題があった。
【０００５】
特許文献２では、取付け状態での外観を向上させる技術が提案されている。この技術では、支持体のヒンジ部および係止部を、係止状態において中心軸よりも支持体側となるように設けている。これにより、支持体の一端にあるヒンジ部と、他端にある係止部に係止された可動腕の係止手段とが、正面視で視認しにくいようにして外観の向上を図っている。
【先行技術文献】
【特許文献】
【０００６】
【特許文献１】実開平６−７３２２７号公報
【特許文献２】特開２０１０−５３５２４号公報
【発明の概要】
【発明が解決しようとする課題】
【０００７】
しかしながら、取付け状態での外観の向上を図りつつ、さらに竪樋の寸法精度の許容性があり、竪樋との嵌め合いの精度を確保することができる技術が望まれていた。
【０００８】
すなわち、竪樋の外径や控え具の内径（支持体と可動腕によって形成される円の内径）は通常、設計寸法に対して微妙に誤差を生じている。そのため、半円環状に形成した一対の支持体と可動腕によって竪樋を挿通状態で支持した際に、次のような問題が生じる。竪樋の外径が設計寸法よりも僅かに小径となっている場合や控え具の内径が設計寸法よりも僅かに大径となっている場合には、これらの支持体と可動腕によって竪樋を取り囲んでもガタツキが発生し、安定した支持が困難となる場合がある。一方、竪樋の外径が設計寸法よりも大径であったり、控え具の内径が設計寸法よりも小径であると、支持体と可動腕によって竪樋を取り囲んで圧接し、これらの対向端部で係止する際に、支持体と可動腕の係止が困難となる場合がある。
【０００９】
本発明は、以上の通りの事情に鑑みてなされたものであり、取付け状態での外観がすっきりとして良好で、かつ寸法精度の許容性に優れ、竪樋との嵌め合いの精度を確保することができる竪樋用控え具を提供することを課題としている。
【課題を解決するための手段】
【００１０】
上記の課題を解決するために、本発明の竪樋用控え具は、円筒状の竪樋をその外周面に沿って支持し、建物の壁面に固定するための脚部を一体に設けた円弧状の支持体と、この支持体の一端のヒンジ部で回転自在に連結され、支持体の他端の係止部で係脱自在であり、係止部で係止することによって竪樋をその外周面に沿って支持する可動腕とを備えた竪樋用控え具であって、支持体のヒンジ部および係止部は、竪樋を挿通支持している係止状態において竪樋の中心軸よりも支持体側にあり、可動腕の係止部側の部分が、第一片部と第二片部とを有し、竪樋を挿通支持している係止状態において、第一片部は、先端に行くほど竪樋から離れて直線状に延び、第二片部は、第一片部から竪樋側に鈍角をなすように屈曲して直線状に延び、第二片部の先端には、第二片部の屈曲とは反対側へ外方を向く係止爪を有し、支持体の係止部には、可動腕の係止爪と係合する係止穴を有することを特徴としている。
【発明の効果】
【００１１】
本発明によれば、取付け状態での外観がすっきりとして良好で、かつ寸法精度の許容性に優れ、竪樋との嵌め合いの精度を確保することができる。
【図面の簡単な説明】
【００１２】
【図１】本発明の竪樋用控え具の一実施形態を示す平面図である。
【図２】図１の竪樋用控え具の正面図である。
【図３】図１の竪樋用控え具の開放状態を示す斜視図である。
【図４】図１の竪樋用控え具の閉止状態を示す斜視図である。
【図５】図１の竪樋用控え具の竪樋を挿通状態で支持した状態の要部を示す平面図である。
【図６】本発明の竪樋用控え具の別の実施形態を示す平面図である。
【図７】図１の竪樋用控え具の正面図である。
【発明を実施するための形態】
【００１３】
以下に、図面を参照しながら本発明の実施形態について説明する。
【００１４】
図１は、本発明の竪樋用控え具の一実施形態を示す平面図、図２はその正面図、図３は開放状態を示す斜視図、図４は閉止状態を示す斜視図である。図５は、竪樋を挿通状態で支持した状態の要部を示す平面図である。
【００１５】
竪樋４０を挿通状態で支持した状態の図５を主に参照しながら説明すると、本実施形態の竪樋用控え具１は、円筒状の竪樋４０をその外周面に沿って支持し、建物の壁面に固定するための脚部２６を一体に設けた円弧状の支持体２を備えている。そして、この支持体２の一端のヒンジ部４で回転自在に連結され、支持体２の他端の係止部６で係脱自在であり、係止部６で係止することによって竪樋４０をその外周面に沿って支持する可動腕３を備えている。支持体２のヒンジ部４および係止部６は、竪樋４０を支持している係止状態において竪樋４０の中心軸Ａよりも支持体２側にあり、可動腕３の係止部６側の部分が、第一片部３２と第二片部３４とを有している。竪樋４０を支持している係止状態において、第一片部３２は、先端に行くほど竪樋４０から離れて直線状に延び、第二片部３４は、第一片部３２から竪樋４０側に鈍角をなすように屈曲して直線状に延びている。第二片部３４の先端には、第二片部３４の屈曲とは反対側へ外方を向く係止爪５を有し、支持体２の係止部６には、可動腕３の係止爪５と係合する係止穴２５を有する。
【００１６】
竪樋用控え具１は、円筒状の竪樋４０の外周面に対応して、その支持体２と可動腕３が閉じた平面形状は図４および図５に示すように円環状となっている。この竪樋用控え具１の材料としては、剛性および適度な弾性を有するもの、例えば合成樹脂、金属、およびこれらの複合材などを用いることができる。
【００１７】
支持体２は、長手方向に一定の幅を有する円弧状である。この円弧状に湾曲した支持体２における竪樋４０に面した内周面を、竪樋４０の外周面の一部を支持する円弧状支持面２１ａ、２１ｂとしている。
【００１８】
すなわち、支持体２は、脚部２６の基端から竪樋４０の外周面に沿うように、互いに相反する方向に向かって円弧状に湾曲している。この一方の方向には円弧状支持面２１ａを設け、他方の方向には円弧状支持面２１ｂを設けている。円弧状支持面２１ａのさらに先端側には、ヒンジ部４が設けられ、円弧状支持面２１ｂのさらに先端側には、係止部６が設けられている。このように支持体２は、ヒンジ部４および係止部６が平面視で一端と他端に位置した対称性のある凹形状となっている。この支持体２は、脚部２６によって建物の壁面に固定され、円弧状支持面２１ａ、２１ｂによって円筒状の竪樋４０を建物側の後方より支持する。
【００１９】
可動腕３は、基端が支持体２とヒンジ部４で回転自在に連結され、そこから円弧状に湾曲して延びる内周面を、竪樋４０の外周面とほぼ同一の径を持つ湾曲状支持面３１としている。湾曲状支持面３１の先端側には、取付け状態の正面視において支持体２の係止部６側の側端３２ａから建物の壁面へ向かって垂直に延びる第一片部３２が形成されている。この第一片部３２の先端側には、第一片部３２から竪樋４０側に鈍角をなすように屈曲部３３で屈曲して直線状に延びる第二片部３４が形成されている。湾曲状支持面３１、第一片部３２、および第二片部３４は、長手方向に支持体２とほぼ等しい幅を有して連続している。第二片部３４の先端には、支持体２の係止部６で係止される係止爪５が形成されている。
【００２０】
支持体２の先端間の円弧長は、竪樋４０の半周長よりも短い寸法に形成している。可動腕３の円弧長は、竪樋４０の半周長よりも長い寸法に形成している。そして支持体２の円弧状支持面２１ａ、２１ｂと、可動腕３の湾曲状支持面３１とで、竪樋４０を抱き込むように支持する円形状の内周面を形成するようにしている。
【００２１】
取付けの際には、一体に設けた脚部２６によって建物の壁面に固定される支持体２に対して、可動腕３を開いた状態でその内周に嵌め込んだ竪樋４０を、可動腕３を閉じることで円弧状支持面２１ａ、２１ｂに当接させる。このようにして支持体２と可動腕３で環状に取り囲み竪樋４０の外周面に圧接させ、支持体２の係止部６に可動腕３の係止爪５を係止することによって竪樋４０を固定する。
【００２２】
支持体２は、円弧状支持面２１ａ、２１ｂとは反対側に延びる脚部２６を建物の壁面への固定のために一体に設けている。この脚部２６は、先端が鋭利な丸棒状で、建物の壁面に固定させるのに適切な長さと太さを有している。脚部２６は、その基端が図５に示す支持体２の中央にある貫通穴２３に固定される。この脚部２６によって、その先端を建物の壁面へ垂直に突き刺し、支持体２および可動腕３によって形成される環が水平面となるように固定し、縦に設置した竪樋４０を挿通して支持する。
【００２３】
支持体２には、円弧状支持面２１ａ、２１ｂから内側に突出する弾片２２ａ、２２ｂが形成されている。弾片２２ａ、２２ｂは、支持体２と一体に形成されて、一方の基端を支点とする舌片状として、支持体２の各先端側から円弧に沿って脚部２６の基端側に延び、他方の先端が、円弧状支持面２１ａ、２１ｂよりも内方に突出している。
【００２４】
弾片２２ａ、２２ｂは、弾性的な撓み変形が可能であり、可動腕３を支持体２に係止することによって竪樋４０を挿通支持する際に、この弾片２２ａ、２２ｂは、竪樋４０の外周面を弾性力で圧接して支持する。
【００２５】
支持体２の一端には、可動腕３との連結部としてヒンジ部４が設けられている。ヒンジ部４は、支持体２における一方の円弧状支持面２１ａの先端に設けられている。図３に示すように、ヒンジ部４には、円筒形状の一対の軸受部３７ａ、３７ｂが形成されている。同図に示すように、支持体２の一端の幅方向両側の二箇所を外側に丸めて、軸受部３７ａ、３７ｂとしている。
【００２６】
可動腕３は、基端で幅方向両側に延びる図３の軸片３８が、支持体２の軸受部３７ａ、３７ｂに挿入される。そして一対の軸受部３７ａ、３７ｂの内側から延び出すように、軸片３８から連続して幅の狭い括れ部３９を設け、可動腕３の軸片３８が支持体２の軸受部３７ａ、３７ｂから抜けないように回転自在に連結している。
【００２７】
支持体２は、このように一端のヒンジ部４で可動腕３と回転自在に連結され、一方、他端には可動腕３と係脱自在な係止部６を有している。
【００２８】
支持体２における一方の円弧状支持面２１ｂの先端には、取付け状態において正面を向き外方に延びる平板部２４が設けられている。係止部６は、この平板部２４に形成された係止穴２５によって構成している。平板部２４の外端は、建物の壁面に向かって後方へ垂直に折り曲げられて、折曲げ部２４ａが形成されている。
【００２９】
そして、可動腕３における、取付け状態において支持体２の係止部６側の部分は、第一片部３２と第二片部３４とを備えている。第一片部３２は、先端に行くほど竪樋４０から離れて直線状に延びている。第一片部３２は、図５の中心軸Ａ、すなわち可動腕３の円弧形状の中心となって竪樋４０の中心軸となる位置を基端とし、そこから建物の壁面に向かって後方へ真直ぐに延びている。図５の左側矢印で示す範囲が、矩形板状の第一片部３２を構成している。
【００３０】
第一片部３２には、その内側面から内方に突出する弾片３５が形成されている。弾片３５は、第一片部３２と一体に形成されて、一方の基端を支点とする舌片状として、第一片部３２の基端側から先端側に延び、先端側が、第一片部３２の内側面よりも内方に突出している。
【００３１】
弾片３５は、弾性的な撓み変形が可能であり、可動腕３を支持体２に係止することによって竪樋４０を挿通支持する際に、この弾片３５は、竪樋４０の外周面を弾性力で圧接して支持する。また、弾片３５の弾性力によって、竪樋４０を挿通支持する際に第一片部３２には外方への押圧力が加わり、この外方への押圧力で、支持体２の先端に設けている係止穴２５の外辺部２５ａに係止爪５を係止させることができる。
【００３２】
第二片部３４は、第一片部３２から竪樋４０側に鈍角をなすように屈曲して直線状に延びている。すなわち、屈曲部３３から内側に折り曲げられて、矩形板状の第二片部３４を構成している。
【００３３】
第二片部３４の先端には、括れ部３６を介して、第二片部３４の屈曲とは反対側へ外方を向く係止爪５を有している。可動腕３は、支持体２に設けられた係止穴２５の外辺部２５ａに係止爪５が当接して係止される。
【００３４】
可動腕３は、係止爪５が、正面視で第一片部３２側の側端３２ａよりも内側に位置することが好ましい。このようにすると、取付け状態での正面視では、図５に示すように、係止爪５のフック先端５ａは、係止状態において側端３２ａよりも中心軸Ａ側に位置する。従って、図２に示すように係止爪５が全く見えないようにすることができ、外観がすっきりとして良好になる。
【００３５】
さらに図５に示すように、支持体２の係止穴２５が設けられた平板部２４の外端には、垂直に折り曲げられた折曲げ部２４ａが設けられている。そのため、係止状態において係止爪５は、この折曲げ部２４ａによって外部から隠されて、係止爪５が全く見えないようにすることができる。しかも、この折曲げ部２４ａは、第一片部３２側の側端３２ａと正面視でほぼ同一線上になることから、外観はよりすっきりとして良好になる。
【００３６】
以上のように構成した竪樋用控え具１によって、建物の壁面に沿って竪樋４０を次のように固定する。
【００３７】
竪樋４０を設置しようとする建物の壁面に、その長さ方向の所定部分ごとに、複数の竪樋用控え具１を直列に設置する。その後、各々の竪樋用控え具１の支持体２と可動腕３によって、竪樋４０の所定部分を抱き込むように支持する。
【００３８】
この際、支持体２へ水平方向に回転自在に取り付けている可動腕３は、その先端にある係止爪５と、支持体２の先端にある係止穴２５との係止を解除しておき、図３に示すように支持体２から開放させる。
【００３９】
この開放された状態で、可動腕３に竪樋４０の外周面を嵌め込む。竪樋４０の外周面は、弾片３５の弾性力で可動腕３に圧接して支持される。これによって、竪樋４０の外周面の一部が弾性的に支持される。
【００４０】
この状態で、開放している可動腕３をヒンジ部４によって回転させ、可動腕３によって支持されていない竪樋４０における背面側の外周面を支持体２に嵌め込む。
【００４１】
そして可動腕３の先端の係止爪５を支持体２の先端に設けている係止穴２５に係止させる。これにより、竪樋４０が、可動腕３の湾曲状支持面３１と、支持体２の円弧状支持面２１ａ、２１ｂとで形成された環状空間内に挿通した状態で、これらの支持体２と可動腕３とにより抱き込むように固定される。
【００４２】
この際、竪樋４０は、可動腕３の第一片部３２の内側面に沿う弾片３５によって押圧される。そして弾片３５は弾性的に外方へ撓み変形し、竪樋４０は、可動腕３の湾曲状支持面３１と支持体２の円弧状支持面２１ａ、２１ｂに沿って支持される。また第１片部３２は、弾片３５による弾性力で外方への押圧力が加わり、この弾性力で、支持体２の先端に設けている係止穴２５の外辺部２５ａに係止爪５を係止させることができる。
【００４３】
図３の開放状態で竪樋４０を可動腕３に嵌め込み、これを支持体２に圧接させていくと、係止爪５は、支持体２の平板部２４における係止穴２５の外辺部２５ａ側に突き当たる。さらに押し込むと、第一片部３２および第二片部３４の弾性力によって、係止爪５は、外辺部２５ａが接して滑りながら係止穴２５に入り込んで係止される。
【００４４】
この取付け状態では、図２の正面図に示すように、支持体２の一端にあるヒンジ部４は可動腕３に隠れて見えなくなる。その他端にある係止部６や係止爪５も、建物の壁面に向かい真直ぐに延びる第一片部３２よりも内側にあることから、可動腕３の外辺部２５ａに隠れて見えなくなる。
【００４５】
すなわち内側に屈曲した第二片部３４を形成しているので、正面視では第一片部３２よりも中心軸Ａ側で係止される。そのため係止部６や係止爪５は、可動腕３に隠れて見えなくなり、外観がすっきりとしている。さらに、係止部６を設けた平板部２４の外側を折り曲げて、折曲げ部２４ａを形成している。この折曲げ部２４ａは、可動腕３の係止爪５を外部から覆い、そして第一片部３２と建物の壁面に向かう方向の幅を合わせてあるので、外観がよりすっきりとしている。
【００４６】
換言すると、図５に示すように、先端に行くほど竪樋４０から離れる第一片部３２を形成しているので、可動腕３と竪樋４０との間には隙間５０が形成される。これにより、第一片部３２の先端側には、係止部６や係止爪５が見えにくくなるように内側へ屈曲できる余裕ができる。そのため、係脱の際における弾性的な動きを許容する第二片部３４を設けることができる。従って、外側に突出する係止爪５を設けても、内側を向く第二片部３４によって、正面視では可動腕３の側端３２ａよりも内側になり、第一片部３２とほぼ同一直線上の折曲げ部２４ａ内に収めることができる。
【００４７】
竪樋４０を竪樋用控え具１から取り外すときには、第一片部３２を内側に押して隙間５０を狭めることで係合を解除し、可動腕３を手前に引き戻すことで、可動腕３を開いて竪樋４０を取り出すことができる。
【００４８】
本実施形態の竪樋用控え具１は、可動腕３に第一片部３２および第二片部３４を設けて、図５の隙間５０を形成することで可動腕３の係止爪５を支持体２の係止穴２５に係止させるようにしている。そのため、竪樋４０の外径寸法や控え具１の内径寸法（可動腕３の湾曲状支持面３１と、支持体２の円弧状支持面２１ａ、２１ｂとで形成された環状空間の内径寸法）に誤差があっても、第一片部３２および第二片部３４によって係止力が吸収されて安定し、係止爪５の係止穴２５への係止力への影響が少ない。従って、竪樋４０の外径が設計寸法よりも僅かに小径となっている場合や控え具１の内径が設計寸法よりも僅かに大径となっている場合にも、支持体２と可動腕３によって支持された竪樋４０にガタツキが発生することを抑制し、安定した支持が可能となる。一方、竪樋４０の外径が設計寸法よりも大径であったり、控え具１の内径が設計寸法よりも小径であっても、支持体２と可動腕３との係止が困難となることが抑制される。このように本実施形態の竪樋用控え具１は、寸法精度の許容性に優れており、竪樋４０との嵌め合いの精度を確保することができる。
【００４９】
以上に説明した本実施形態の竪樋用控え具１によれば、第一片部３２と第二片部３４を形成しているので、竪樋４０との間に形成される図５の隙間５０で嵌め込んで、可動腕３の係止爪５を支持体２の係止穴２５に係止することができる。そのため、支持体２の一端にあるヒンジ部４と、他端にある係止部６および係止された可動腕３の係止爪５とが、取付け状態で正面から見えない状態で建物の壁面に固定することができる。従って、外観がすっきりとして良好になる。さらに、第一片部３２と第二片部３４によって、竪樋４０との間に形成される隙間５０で係止力が吸収されて安定するため、寸法精度の許容性に優れており、竪樋４０との嵌め合いの精度を確保することができる。
【００５０】
さらに、可動腕３の係止爪５が、正面視で第一片部３２側の側端３２ａよりも内側に位置している。これにより、係止爪５は視認しにくくなり、外観がよりすっきりとして向上する。
【００５１】
また、第一片部３２には、その内側面から内方に突出する弾片３５が形成されている。これにより、可動腕３を支持体２に係止することによって竪樋４０を挿通支持する際に、竪樋４０の外周面を弾性力で圧接して支持することができる。さらに、弾片３５の弾性力によって、竪樋４０を挿通支持する際に第一片部３２には外方への押圧力が加わり、この外方への押圧力で、支持体２の先端に設けている係止穴２５の外辺部２５ａに係止爪５を係止させることができる。
【００５２】
図６および図７は、本発明の竪樋用控え具の別の実施形態を示し、図６は図１と同様な平面図、図７は図２と同様な正面図である。なお、図１〜図５に示す前述の実施形態と同一の部分には同一符号を付して詳細な説明を省略する。
【００５３】
本実施形態では、支持体２へ一体に設けている脚部２６に、建物の壁面に固定させるための取付板部２６ｂが設けられている。
【００５４】
この取付板部２６ｂは、支持体２側の基端から、取付け状態において建物の壁面に向かって延びる長尺の矩形板部２６ａの先端に設けられている。
【００５５】
取付板部２６ｂは、矩形板部２６ａから垂直に延び、竪樋４０の長手方向に沿った方向に形成されている。取付板部２６ｂの先端は、正面視で可動腕３の幅方向端部から張り出し、その平板中央部には、ビスや螺子などの取付穴２６ｃが設けられている。
【００５６】
以上のように構成した竪樋用控え具１によって、建物の壁面に沿って竪樋４０を次のように固定する。前述の実施形態と同様に、各々の竪樋用控え具１の支持体２と可動腕３によって、竪樋４０の所定部分を抱き込むように支持する。
【００５７】
竪樋４０には、その長さ方向の所定部分ごとに、複数の竪樋用控え具１を直列に設置する。竪樋用控え具１の脚部２６の先端に設けている取付板部２６ｂは、その外面を建物の壁面に当接して、ビスや螺子などによって取付穴２６ｃを介して固定する。図７に示すように、脚部２６は正面視で可動腕３の幅方向端部から張り出している。しかし、竪樋４０の長手方向に沿った方向に形成しているので、正面視では可動腕３のみが視認される。そして前述の実施形態と同様に、支持体２の一端にあるヒンジ部４と、他端にある係止部６および係止された可動腕３の係止爪５も、取付け状態では正面から隠れて見えない状態となる。
【００５８】
以上に説明した本実施形態の竪樋用控え具１によれば、前述の実施形態と同様に、第一片部３２と第二片部３４によって竪樋４０との間に形成される隙間５０で嵌め込んで可動腕３の係止爪５を支持体２の係止穴２５に係止することができる。そのため、支持体２の一端にあるヒンジ部４と、他端にある係止部６と係止された可動腕３の係止爪５とが、取付け状態で正面から見えない状態で、建物の壁面に固定することができ、外観がすっきりとする。かつ、第一片部３２と第二片部３４によって竪樋４０との間に形成される隙間５０で係止動作が吸収されるため、寸法精度の許容性に優れており、竪樋４０との嵌め合いの精度を確保することができる。
【００５９】
さらに本実施形態の竪樋用控え具１によれば、脚部２６は正面視で可動腕３の幅方向端部から張り出しているが、竪樋４０の長手方向に沿った方向に形成しているので、正面視では可動腕３のみが視認される。そして支持体２の一端にあるヒンジ部４と、他端にある係止部６および係止された可動腕３の係止爪５も、取付け状態では正面から隠れて見えない状態となる。従って、前述の実施形態における、先端が鋭利な丸棒状の脚部２６を使用した場合と同じすっきりとした外観となる。それに加えて、取付板部２６ｂを有する脚部２６によって、ビスや螺子などを用いて取付穴２６ｃを介して建物の壁面に固定することができるので、外観を損なうことなく建物の壁面への取付け方法の自由度や選択性を増すことができる。
【符号の説明】
【００６０】
１        竪樋用控え具
２        支持体
３        可動腕
４        ヒンジ部
５        係止爪
６        係止部
２５      係止穴
２６      脚部
３２      第一片部
３４      第二片部
３５      弾片
４０      竪樋
Ａ        中心軸
【図１】
0006471972.tif 000002
【図２】
0006471972.tif 000003
【図３】
0006471972.tif 000004
【図４】
0006471972.tif 000005
【図５】
0006471972.tif 000006
【図６】
0006471972.tif 000007
【図７】
0006471972.tif 000008